(57)【要約】【課題】外力が作用して弾性係止部が係止溝部から抜けると次の抜け止め用凹状部係止溝部に弾性的に係止している構成は、外力が繰り返し作用する場合の抜け防止の効果に課題があった。【解決手段】一対の挟持部８ａが２つの配管１，２の接続部３，４の両方の外周に互いに逆方向から当接している状態で外れ防止部材９の一端を誘導部８ｃに回動自在に取り付け他端を誘導部のもう一方に引っ掛けて誘導部の端部同士の間隔は２つの配管の２つ接続部の両方のフランジを除いた外周の直径以上に広がらない構成とした。【選択図】図２
2011002070.tif 000002
【特許請求の範囲】
【請求項１】
２つの配管をそれぞれの端部の接続部で接続し、ファスナーによって前記２つの配管の前記接続部同士が離れないように固定する配管の接続装置であって、前記２つの配管の前記接続部はそれぞれ先端の外周面にフランジを有し、前記ファスナーは、前記２つの配管の前記接続部の両方の外周を囲む板バネと、前記板バネが広がるのを防止する外れ防止部材からなり、前記板バネは、前記２つの配管の前記接続部の両方の外周に互いに逆方向から当接する管軸に垂直な断面が略円弧状の一対の挟持部と、管軸に垂直な断面が略コ字状で両端が一対の前記挟持部の一端に接続された連結部と、一端が一対の前記挟持部の他端に接続されると共に前記挟持部の他端に接続された前記一端同士の間隔が他端同士の間隔より狭い管軸に垂直な断面が略ハ字状の誘導部とからなり、前記板バネに外力が加わっていない状態では前記挟持部の他端に接続された前記誘導部の前記一端同士の間隔は前記２つの配管の前記接続部の両方の前記フランジを除いた外周の直径より狭く、前記連結部における前記挟持部側の一部と前記誘導部における前記挟持部側の一部と前記挟持部には前記２つの配管を前記接続部同士で接続した状態で前記２つの配管のそれぞれの前記フランジが入り込むと共に前記２つの配管のそれぞれの前記フランジが互いに離れるのを防ぐように形成された切抜孔を有し、前記外れ防止部材の一端は回動可能に一方の前記誘導部の前記他端側に固定され、前記外れ防止部材の他端は他方の前記誘導部の前記他端側に引っ掛けたり前記誘導部から外したりすることが可能であり、一対の前記挟持部が前記２つの配管の前記接続部の両方の外周に互いに逆方向から当接している状態で前記外れ防止部材の他端を前記誘導部の前記他端側に引っ掛けると前記挟持部の他端に接続された前記誘導部の前記一端同士の間隔は前記２つの配管の前記接続部の両方の前記フランジを除いた外周の直径以上に広がらない配管の接続装置。
【発明の詳細な説明】
【技術分野】
【０００１】
本発明は、各種配管の接続部に供される管継手に関するもので特に不用意な離脱を防止することの出来る配管の接続装置に関するものである。
【背景技術】
【０００２】
従来、気体や液体等を機器の内外で配送するためにはそれらを配送するための配管がなされるが、機器内の、あるいは機器外の部品あるいは装置との接続部、すなわち配管の接続装置が必要になる。そこで配管が確実かつ接続部が不用意に離脱しないような継ぎ手構成が提案されている（例えば、特許文献１参照）。
【０００３】
たとえば特許文献１においては、図４に示すように筒状をしたプラグ１０１に後方側程径が大きくなる案内用テーパ部１０４を設けると共に案内用テーパ部１０４の後部に係止溝部１０５を設けている。筒状のソケット１０２の壁部にソケット１０２の内外に開口する切り溝１０６を設けて、ソケット１０２の外側からソケット１０２を跨いで切り溝１０６に挿入される略Ｕ字状をしたばねリング１０７を設けている。ばねリング１０７の切り溝１０６内に挿入された部分を切り溝１０６からソケット１０２内部に突入させて弾性係止部１０８とし、ソケット１０２内部に挿入されたプラグ１０１の係止溝部１０５にばねリング１０７の弾性係止部１０８を係止している。このようにプラグ１０１のソケット１０２への挿入のみで接続するものである。
【先行技術文献】
【特許文献】
【０００４】
【特許文献１】特許第２５９５４２１号公報
【発明の概要】
【発明が解決しようとする課題】
【０００５】
しかしながら、前記従来の構成では、管継手においては筒状のプラグ１０１を筒状のソケット１０２にはめ込んで接続する管継手において、係止溝部１０５と、切り溝１０６と、ソケット１０２の外側からソケット１０２を跨いで切り溝１０６に挿入される略Ｕ字状をしたばねリング１０７を設け、該ばねリング１０７の切り溝１０６内に挿入された部分を切り溝１０６からソケット１０２内部に突入させて弾性係止部１０８とし、ソケット１０２内部に挿入されたプラグ１０１の係止溝部１０５にばねリング７の弾性係止部１０８を係止して成る構成となっている。
【０００６】
上記のような構成の従来例によれば、ソケット部１０２の形状はテーパ加工や切り溝加工など部品加工が複雑になり部品コストが上がる課題があった。
【０００７】
また、略Ｕ字状をしたばねリング１０７の両脚部１０９の対向する部分にそれぞれ対向する部分が凹となった弧状をした弾性係止部１０８を設け、両脚部１０９の弾性係止部１０８の先方の部分にそれぞれ対向する部分が凹となった弧状をした抜け止め用凹状部１１０を設ける構成として、接続した後何らかの外力が作用して弾性係止部８が係止溝部１０５から抜けても、弾性係止部１０８が抜けると次の抜け止め用凹状部１１０が係止溝部１０５に弾性的に係止してそれ以上のばねリング１０７の抜けが防止されてばねリング１０７によるソケット１０２とプラグ１０１との接続が継続されるようになっているが、ばねリング１０７に上記外力が繰り返し作用する場合のばねリング１０７の抜け防止の効果に課題があった。
【０００８】
本発明は、前記従来の課題を解決するもので簡単な構成で繰り返し外力を受けても配管の継ぎ手部分が外れない構成を提供することを目的とする。
【課題を解決するための手段】
【０００９】
本発明は、２つの配管をそれぞれの端部の接続部同士で接続し、ファスナーによって前記２つの配管の前記接続部同士が離れないように固定する配管の接続装置で、ファスナーは、板バネと外れ防止部材からなり、前記板バネは配管の接続部に設けたフランジが互いに離れるのを防ぐように形成された切抜孔を有していて前記切抜孔に配管の前記２つのフランジを納める。前記外れ防止部材の一端は回動可能にファスナーの一方の端部に固定され、前記外れ防止部材の他端はファスナーの他方の端部に引っ掛けたり外したりすることが可能である。ファスナーの切抜孔に接続部の前記２つのフランジを挿入し接続部が離れないようにした後、外れ防止部材の回動軸でない端部を前記板バネの前記他端側に引っ掛ける。以上のようにバネ部の端部同士の間隔は前記２つの配管の前記接続部の両方の前記フランジを除いた外周の直径以上に広がらない構成とした。
【００１０】
これによって、板バネは接続部から外れなくなるので繰り返し外力を受けても外れない配管の継ぎ手装置を提供することが出来る。
【発明の効果】
【００１１】
本発明の配管の継ぎ手装置は簡単な構成で繰り返し外力を受けても外れない配管の継ぎ手装置を提供することが出来る。
【図面の簡単な説明】
【００１２】
【図１】本発明の実施の形態１に係る配管の接続装置の配管軸方向の断面図
【図２】（ａ）本発明の実施の形態１に係る配管の接続装置の図１におけるａ−ａ断面図（ｂ）本発明の実施の形態１に係る配管の接続装置のファスナーを示す斜視図
【図３】本発明の実施の形態１に係る配管の接続装置のファスナーを取り付ける動作説明のための断面図
【図４】（ａ）従来の配管の接続装置における接続前の状態を示す分解斜視図（ｂ）従来の配管の接続装置におけるばねリングを示す断面図
【発明を実施するための形態】
【００１３】
本発明は、２つの配管をそれぞれの端部の接続部同士で接続し、ファスナーによって前記２つの配管の前記接続部同士が離れないように固定する。前記２つの配管の前記接続部はそれぞれ先端の外周面にフランジを有し、前記ファスナーは、前記２つの配管の前記接続部の両方の外周を囲む板バネと、前記板バネが広がるのを防止する外れ防止部材からなり、なっている。前記板バネは、前記２つの配管の前記接続部の両方の外周に互いに逆方向から当接する管軸に垂直な断面が略円弧状の一対の挟持部と、管軸に垂直な断面が略コ字状で両端が一対の前記挟持部の一端に接続された連結部と、一端が一対の前記挟持部の他端に接続されると共に前記挟持部の他端に接続された前記一端同士の間隔が他端同士の間隔より狭い管軸に垂直な断面が略ハ字状の誘導部とからなり、前記板バネに外力が加わっていない状態では前記挟持部の他端に接続された前記誘導部の前記一端同士の間隔は前記２つの配管の前記接続部の両方の前記フランジを除いた外周の直径より狭く、前記連結部における前記挟持部側の一部と前記誘導部における前記挟持部側の一部と前記挟持部には前記２つの配管を前記接続部同士で接続した状態で前記２つの配管のそれぞれの前記フランジが入り込むと共に前記２つの配管のそれぞれの前記フランジが互いに離れるのを防ぐように形成された切抜孔を有し、前記外れ防止部材の一端は回動可能に一方の前記誘導部の前記他端側に固定され、前記外れ防止部材の他端は他方の前記誘導部の前記他端側に引っ掛けたり前記誘導部から外したりすることが可能であり、一対の前記挟持部が前記２つの配管の前記接続部の両方の外周に互いに逆方向から当接している状態で前記外れ防止
部材の他端を前記誘導部の前記他端側に引っ掛けると前記挟持部の他端に接続された前記誘導部の前記一端同士の間隔は前記２つの配管の前記接続部の両方の前記フランジを除いた外周の直径以上に広がらない。
【００１４】
ゆえにファスナーが接続部から離脱することはなく、配管と配管の接続は確実に保持される。
【００１５】
また、板バネと、前記板バネが広がるのを防止する外れ防止部材からなり前記外れ防止部材の一端は回動可能に一方の前記誘導部の前記他端側に固定されているのでメンテナンス等で配管部から取り外しても板バネと外れ防止部材は一体の構成を保持するので紛失の恐れがなくメンテナンス作業での効率化を図れる。
【００１６】
また、はずれ防止部材はバネ線材を曲げ加工して構成することも出来、この場合は金型が不要となりより安価に外れ防止部材を構成することが出来る。
【００１７】
以下、本発明の実施の形態について、図面を参照しながら説明する。なお、本実施の形態によって本発明が限定されるものではない。
【００１８】
（実施の形態１）
先ず、本発明の実施の形態に係る配管の接続装置の構成について、図面を参照しながら詳細に説明する。
【００１９】
図１、図２（ａ）、図２（ｂ）において２つの配管１、配管２をそれぞれの端部の接続部３、接続部４同士で接続し、ファスナー５によって前記２つの配管の前記接続部同士が離れないように固定する配管の接続装置で、前記２つの配管１および配管２の前記接続部接続部３、接続部４はそれぞれ先端の外周面にフランジ６、フランジ７を有している。前記ファスナー５は、前記２つの配管の前記接続部の両方の外周を囲む板バネ８と、前記板バネ８が広がるのを防止する外れ防止部材９からなる。
【００２０】
前記板バネ８は、前記２つの配管の前記接続部の両方の外周に互いに逆方向から当接する管軸に垂直な断面が略円弧状の一対の挟持部８ａと、管軸に垂直な断面が略コ字状で両端が一対の前記挟持部８ａの一端に接続された連結部８ｂと、一端が一対の前記挟持部８ａの他端に接続されると共に前記挟持部８ａの他端に接続された前記一端同士の間隔が他端同士の間隔より狭い管軸に垂直な断面が略ハ字状の誘導部８ｃとからなり、前記板バネ８に外力が加わっていない状態では前記挟持部８ａの他端に接続された前記誘導部８ｃの前記一端同士の間隔は前記２つの配管の前記接続部３、接続部４の両方の前記フランジ６、フランジ７を除いた外周の直径より狭く、前記連結部８ｂにおける前記挟持部８ａ側の一部と前記誘導部８ｃにおける前記挟持部８ａ側の一部と前記挟持部８ａには前記２つの配管を前記接続部３、接続部４同士で接続した状態で前記２つの配管１及び配管２のそれぞれの前記フランジ６、フランジ７が入り込むと共に前記２つの配管のそれぞれの前記フランジが互いに離れるのを防ぐように形成された切抜孔８ｄを有し、前記外れ防止部材９の一端は回動可能に一方の前記誘導部８ｃの前記他端側に固定され、前記外れ防止部材９の他端は他方の前記誘導部８ｃの前記他端側に引っ掛けたり前記誘導部から外したりすることが可能であり、一対の前記挟持部８ａが前記２つの配管の前記接続部の両方の外周に互いに逆方向から当接している状態で前記外れ防止部材９の他端を前記誘導部８ｃの前記他端側に引っ掛けると前記挟持部の他端に接続された前記誘導部８ｃの前記一端同士の間隔は前記２つの配管の前記接続部３、接続部４の両方の前記フランジを除いた外周の直径以上に広がらない。
【００２１】
ここで配管１は接続部３の内面に設けた溝３ａに対し相対する配管１を張り出している
保持部１ａによって接続部３に固定されている。同様に配管２は接続部４の内面に設けた溝４ａに対し相対する配管２の一部を張り出している保持部２ａによって接続部４に固定されている。
【００２２】
配管１の先端はつぶし加工が施され配管１の外形より大きなＯリング止め部１ｂが形成され接続部３と前記Ｏリング止め部１ｂの間にＯリング１０を保持している。
【００２３】
上記接続部３のＯリング１０を保持した先端を接続部４の接続穴４ｂにはめ込んで接続がなされＯリング１０によって接続部のシールがなされる。
【００２４】
さらに図３においてファスナー５の取り付けを以下に述べる。
【００２５】
図３は本発明の配管の軸直角方向の断面図（図１のａ−ａ断面図）である。接続部３の先端の接続穴４ｂへのはめ込みが完全になされるとフランジ６とフランジ７は配管の軸に垂直な面で近接した状態となっており、さらにファスナー８の誘導部８ｃを接続部３、接続部４に当接させ、挟持部８ａへ接続部３、接続部４を押し込めば（図３の押す方向）切抜孔８ｄがフランジ６、及びフランジ７を侵入させ挟持部８ａによって前記フランジ６とフランジ７を近接に保持する。接続部３と接続部４の外形と挟持部８ａが沿った状態になればファスナー８の取り付けが完了する。
【００２６】
さらに外れ防止部材９は一端をリング状端部９ａに整形されており誘導部８ｃを軸にして回動自在であり外れ防止部材９の他端はＶ字状端部９ｂに成形されている。前記外れ防止部材９をファスナー８の上述取り付け完了後に回動させＶ字状端部９ｂを誘導部８ｃに引っ掛けて図２（ａ）に示す状態となる。
【００２７】
誘導部８ｃの間隔は外れ防止部材９によって保持されているのでファスナー５の押し込み方向の逆の外力が働いてもファスナー８は接続部３および接続部４に保持され、板バネ８の挟持部８ａが開いてファスナー５が脱落することはない。
【産業上の利用可能性】
【００２８】
本発明に係る配管の接続装置は、機器、設備等における配管の接続装置に関するもので簡単な構成で接続を確実なものにすることができる。
【符号の説明】
【００２９】
１、２  配管
３、４  接続部
５  ファスナー
６，７  フランジ
８  板バネ
８ａ  挟持部
８ｂ  連結部
８ｃ  誘導部
８ｄ  切抜孔
９  外れ防止部材
【図１】
2011002070.tif 000003
【図２】
2011002070.tif 000004
【図３】
2011002070.tif 000005
【図４】
2011002070.tif 000006